【手続補正書】
【提出日】平成18年7月20日(2006.7.20)
【手続補正１】
【補正対象書類名】明細書
【補正対象項目名】特許請求の範囲
【補正方法】変更
【補正の内容】
【特許請求の範囲】
【請求項１】
センサー装置であって：
二つまたは三つ以上のセンサーデバイス；
それぞれのセンサーデバイスに連結し、環境状態を決定するために二つまたは三つ以上のセンサーデバイスそれぞれから受け取った信号を処理するように構成されたプロセッシングモジュール；
環境状態についての情報を使用者に伝達する通信モジュール；および
二つまたは三つ以上のセンサーデバイスに気体を供給し、二つまたは三つ以上のセンサーデバイスを連続的に動作状態にする、空気ポンプシステムを含み、
プロセッシングモジュールが：
二つまたは三つ以上のセンサーデバイスから出力される信号を受け取って処理するデジタル信号プロセッシングユニット；および
デジタル信号プロセッシングユニットによって処理される信号を記憶するメモリを含む、
前記装置。
【請求項２】
プロセッサーが、環境状態の変化を検出する第一の処理および環境状態の変化の由来を特定する第二の処理を実行するように構成されている、請求項１に記載の装置。
【請求項３】
第二の処理がパターン認識アルゴリズムを含む、請求項２に記載の装置。
【請求項４】
電力供給のために、バッテリーおよびソーラーセルの内の一つをさらに含む、請求項３に記載の装置。
【請求項５】
ピックアップアンテナをさらに含み、ここで、電力は外部のＲＦフィールドから前記アンテナに受け取られて供給される、請求項３に記載の装置。
【請求項６】
通信モジュールが、ＬＥＤ、スピーカー、ブザー、および振動装置の内の一つを含む、請求項１に記載の装置。
【請求項７】
通信モジュールが、ワイヤレスインターフェイスデバイスおよびフィジカルバスインターフェイスの内の一つを含む、請求項１に記載の装置。
【請求項８】
ワイヤレスインターフェイスデバイスが、ＲＦトランスミッター、ＲＦトランシーバー、ＩＲトランスミッター、ＩＲトランシーバーの内の一つを含む、請求項７に記載の装置。
【請求項９】
フィジカルバスインターフェイスが、ＲＳ−２３２ポート、ＵＳＢポート、ファイヤーワイヤーポートの内の一つを含む、請求項７に記載の装置。
【請求項１０】
少なくとも二つのセンサーデバイスが高分子複合材料センサーである、請求項１に記載の装置。
【請求項１１】
少なくとも一つのセンサーデバイスが化学センサーである、請求項１に記載の装置。
【請求項１２】
着用できるセンサーデバイスであって：
小型のハウジング構造；
前記ハウジング構造に連結された取り付け装置；
一つまたは二つ以上のセンサー；
警報モジュール；
一つまたは二つ以上のセンサーからの信号をモニターし、閾値の状態の検出に応答して警報モジュールに警報起動信号を提供するように構成されたデジタル信号プロセッサー；および
センサーデバイスを低電力動作モードと高電力動作モードの一方で動作させるように構成された電力管理システムを含み、低電力動作モードは、センサーデバイスが動作している時間の少なくとも７０％において可能であり、
低電力動作モードの間、デジタル信号プロセッサが、電力管理システムによって出力される起動信号に応答して定期的に起動し、センサーデバイスを高電力動作モードにするとともに、高電力動作モードの間、デジタル信号プロセッサが一つまたは二つ以上のセンサーをスキャンし、イベントが起こったかどうかまたはイベントが起きているかどうかの決定をし、また、デジタル信号プロセッサがイベントが起きなかったこと、または起きていないことを決定した場合に、デジタル信号プロセッサが非実行スリープ状態に戻り、センサーデバイスを再び低電力動作モードにする、
前記デバイス。
【請求項１３】
外部プロセッサーと通信するように構成された通信モジュールをさらに含む、請求項１２に記載のデバイス。
【請求項１４】
通信モジュールがワイヤレストランスミッターデバイスを含む、請求項１３に記載のデバイス。
【請求項１５】
ワイヤレストランスミッターデバイスが、ＲＦトランスミッターおよびＩＲトランスミッターの内の一つを含む、請求項１４に記載のデバイス。
【請求項１６】
取り付け装置が、デバイスを使用者に取り付けるためのクリップおよびピンの内の一つを含む、請求項１２に記載のデバイス。
【請求項１７】
センサーデバイスが、使用者が着用できるバッジに導入されている、請求項１２に記載のデバイス。
【請求項１８】
センサーデバイスが、使用者が介入しなくても受動的かつ連続的方法で動作する、請求項１２に記載のデバイス。
【手続補正２】
【補正対象書類名】明細書
【補正対象項目名】００７５
【補正方法】変更
【補正の内容】
【００７５】
ある特定の態様によると、アレイは９００個のセンサー（例えば３０×３０）を有するが、より少ない（例えば１個または数個）またはより多い（１万個のオーダーのセンサー（例えば１００×１００））センサーを有するアレイが導入されても良いことが理解されるべきである。一つの側面では、センサー間のスペースが５０μｍである５０μｍ２のセンサー部材が使用される。これはおよそ３０ｍｍ２に９００個のセンサーデバイスのダイ（およそ１ｃｍ２に１０，０００個のセンサーデバイス）を生み出す。アレイを有するデバイスは、好ましくは、Ａ／Ｄコンバータのチップおよびさらなる処理によって多重化されたデータを用いて単純ローカラムアドレッシングスキーム（simple row-column addressing scheme）で動作するが、その他のアドレッシングスキームを使用することもできる。アドレッシングの例を図１４に示す。ある側面では、センサーは連続的に一つずつ読み取られる。アレイのサイズが大きくなるにつれて、センサーの読み込みの待ち時間が最小であることを確かにするために、より大きい外部のバンドウィドゥスが典型的に要求される。例えば、列全体を一度に読み出すなど、センサーは並列的に読み出されることもできる。その他、アドレスイベントコーディング（"address event" coding）などのより高度なスキームをセンサーの読み出しのために用いても良い。この方法では「重要な」センサー（すなわち始動しているもの）がまず読み出され、その他の始動していないセンサーよりも頻繁に読み出される。
【手続補正３】
【補正対象書類名】図面
【補正対象項目名】全図
【補正方法】変更
【補正の内容】
【図１】
2006511800.tif 000001
【図２】
2006511800.tif 000002
【図３ａ】
2006511800.tif 000003
【図３ｂ】
2006511800.tif 000004
【図４】
2006511800.tif 000005
【図５】
2006511800.tif 000006
【図６】
2006511800.tif 000007
【図７】
2006511800.tif 000008
【図８】
2006511800.tif 000009
【図９】
2006511800.tif 000010
【図１０】
2006511800.tif 000011
【図１１】
2006511800.tif 000012
【図１２】
2006511800.tif 000013
【図１３】
2006511800.tif 000014
【図１４】
2006511800.tif 000015
【図１５】
2006511800.tif 000016
【図１６】
2006511800.tif 000017
【図１７】
2006511800.tif 000018
【図１８】
2006511800.tif 000019
【図１９】
2006511800.tif 000020
【図２０】
2006511800.tif 000021
【図２１】
2006511800.tif 000022
【図２２】
2006511800.tif 000023
【図２３】
2006511800.tif 000024